(57)【特許請求の範囲】
【請求項１】
コ字状の断熱材と筺体内に区画板を有し、区画板の内側に商品を陳列する庫内を形成すると共に、庫内に上下に複数設けられた商品陳列棚を有し、区画板と断熱材との間に冷気循環ダクトを形成したショーケースにおいて、前記区画板に形成された冷気導入孔と、前記区画板の冷気循環ダクト側に設けられた複数のフラッパーと、前記フラッパーを回動させるばねヒンジと、前記商品陳列棚の少なくとも１つに冷気循環ダクト内の冷気を庫内に導く中間ダクトと、区画板に設けられた冷気導入孔を介して庫内から冷気循環ダクト内に進入し、フラッパーを回動させてフラッパーにより冷気循環ダクトの上下を遮断し、冷気循環ダクト内の冷気を中間ダクトに導くフラッパー操作部が設けられ、ばねヒンジによりフラッパーが区画板を押圧するように設けられており、
前記フラッパーは樹脂で成形されており、前記フラッパー操作部の後端が当接する部分を硬質樹脂部とするとともに、前記フラッパーが回動してフラッパー止めに当接する部分を軟質樹脂部としたことを特徴とするショーケース。
【請求項２】
前記フラッパーが前記区画板に押圧する部分にマグネットを設けたことを特徴とする請求項１に記載のショーケース。
【発明の詳細な説明】
【技術分野】
【０００１】
本発明は、商品陳列室内を、冷蔵商品専用、温蔵商品専用あるいは冷蔵商品と温蔵商品とが併売可能なように構成されているショーケースに関するものである。
【背景技術】
【０００２】
従来より、ショーケースでは、断熱筺体としてなる全面開放形のケース本体と、庫内の商品陳列室を取り巻いてケース本体の外箱の断熱壁と内箱の背面パネルとの間に画成した冷気循環ダクトと、冷却器と、庫内ファンと、冷凍器のコンデンシングユニットが収納されている機械室と、庫内に上下段に並んで商品を載置する商品陳列棚を構成する。
この各商品陳列棚には、温蔵商品も販売可能なように商品陳列棚内にヒータが設けられている。
【０００３】
例えば、上部の２段に温蔵商品、下部の２段に冷蔵商品を展示して冷温商品併売用の４段のショーケースとして設置した場合、上部から２段目の商品陳列棚の下に着脱自在に設けられた仕切板を背面パネルに形成される切欠きを介して冷気循環ダクト内に進入させて、冷気循環ダクトを上下方向に遮蔽している。
【０００４】
また、切欠きは上下に区分される商品陳列棚の冷温商品の陳列比率を変更可能なように上下複数個所に設け、この切欠きを閉塞するために、背面パネルには開度自在に設けられ、仕切板により押し開かれるカバーを設けている。
【０００５】
このように、商品陳列棚に着脱自在に設けられた仕切板により冷気循環ダクト内を上下に遮蔽することにより、冷温商品の併売を可能としている（例えば、特許文献１参照）。
【先行技術文献】
【特許文献】
【０００６】
【特許文献１】特許第４２３８３４３号公報
【発明の概要】
【発明が解決しようとする課題】
【０００７】
上記特許文献１では、切欠きはショーケースの幅方向に渡って形成していると共に、背面パネルに仕切板を進入させる切欠きを複数形成しなければならず、背面パネルの強度が低下してしまい、変形してしまう虞もある。また、仕切板が進入していない切欠きを完全に閉塞することが難しく、切欠きから冷気が漏れてしまい、十分なエアーカーテンを形成することが出来なくなってしまう虞もある。
【０００８】
また、使用されていない切欠きに顧客が誤って手を入れてしまい、手が切欠きとカバーの間に挟まれて怪我を負ってしまう虞もある。
【０００９】
更に、使用していない切欠きを通して物が入れられてしまったり、誤って物が入れられた場合に、冷却器上に物が落下し、ショーケースが十分な冷却性能を得ることが出来なくなってしまったり、庫内ファン等が故障してしまう等の虞もある。
【００１０】
本発明は、上記の点に鑑みてなされたものであり、その目的は前記課題を解決し、簡単な操作で、冷蔵商品と温蔵商品との陳列棚の比率を変更でき、効率的に冷蔵商品を冷やすことができるようにしたショーケースを提供することにある。
【課題を解決するための手段】
【００１１】
上記目的を達成するために、請求項１の発明のショーケースは、コ字状の断熱材と区画板を有し、区画板の内側に商品を陳列する庫内を形成すると共に、庫内に上下に複数設けられた商品陳列棚を有し、区画板と断熱材との間に冷気循環ダクトを形成したショーケースにおいて、前記区画板に形成された冷気導入孔と前記区画板の冷気循環ダクト側に設けられた複数のフラッパーと、前記フラッパーの支軸としてばねヒンジと、前記断熱材の冷気循環ダクト側に設けられた複数のフラッパー止めと、前記商品陳列棚の少なくとも１つに
冷気循環ダクト内の冷気を庫内に導く中間ダクトと、区画板に設けられた冷気導入孔を介して庫内から冷気循環ダクト内に進入し、前記断熱板に設けられたフラッパー止めに接するまでフラッパーを回動させることにより、フラッパーにより冷気循環ダクトの上下を遮断し、冷気循環ダクト内の冷気を中間ダクトに導くように、フラッパー操作部が設けられているとともに、フラッパーが区画板を押圧するようにばねヒンジが設けられており、フラッパーは樹脂で成形されており、フラッパー操作部の後端が当接する部分を硬質樹脂部とするとともに、フラッパーが回動してフラッパー止めに当接する部分を軟質樹脂部としたことを特徴とする。 
請求項２の発明のショーケースは、請求項１において前記フラッパーにマグネットを設けたことを特徴とする。
【発明の効果】
【００１２】
請求項１の発明のショーケースは、コ字状の断熱材と筺体内に区画板を有し、区画板の内側に商品を陳列する庫内を形成すると共に、区画板と断熱材との間に冷気循環ダクトを形成したショーケースにおいて、前記区画板に形成された冷気導入孔と前記区画板の冷気循環ダクト側に設けられた複数のフラッパーと、前記冷気循環ダクト内に設けられた前記フラッパーにはばねヒンジが冷気循環ダクト内を下から上へ回動可能なように取り付けられ、フラッパーはばねヒンジにより区画板を押すように密着して設置されており、庫内には上下に複数設けられた商品陳列棚を有し、前記商品陳列棚の少なくとも１つに冷気循環ダクト内の冷気を庫内に導く中間ダクトと前記フラッパーを操作するフラッパー操作部を形成し、フラッパー操作部が区画板に設けられた冷気導入孔を介して庫内から冷気循環ダクト内に進入し、フラッパーを回動させることによりフラッパーにより冷気循環ダクトの上下を遮断し、冷気循環ダクト内の冷気を中間ダクトに導くことにより、区画板の強度を低下させること無く、冷蔵商品と温蔵商品の併売を行うことができる。 
また、フラッパーの支軸にばねヒンジを用い、フラッパーが区画板を押圧するように塞ぐことにより、冷気循環ダクト内を流れる冷気によってフラッパーが開いてしまうことがないので、冷気漏れを起こすことはない。そのため、十分なエアーカーテンを形成することができる。
また、フラッパーを樹脂としたことで、冷気導入孔を確実に密閉することができ、冷気循環ダクト内を流れる冷気が冷気導入孔から漏れることはない。
また、フラッパー操作部の後端が当接するフラッパーの個所に硬質樹脂部が用いられていることで、フラッパー操作部によりフラッパーが回動する際に、フラッパーを変形することなく回動させることができる。
また、フラッパーが回動してフラッパー止めに当接する個所に軟質樹脂部が設けられていることで、冷気循環ダクト内を上下に塞ぐ際に、フラッパー操作部により、フラッパーの軟質樹脂部がフラッパー止めに押圧されるため、確実に冷気循環ダクトを仕切ることができ、冷気が漏れることはない。
請求項２の発明のショーケースは、フラッパーにマグネットを取り付けたことで、区画板に設けられた冷気導入孔をマグネットの磁力により塞ぐことができる。また、冷気循環ダクト内を流れる冷気によってフラッパーが開いてしまうことがないので、冷気漏れを起こすことはなくなる。
【図面の簡単な説明】
【００１３】
【図１】本発明を適用したショーケースの側面図である。
【図２】フラッパー操作部が操作されていない時の冷気循環ダクト部分の拡大側面図である。
【図３】図２においてフラッパー操作部を操作した時の冷気循環ダクト部分の拡大側面図である。
【図４】フラッパー操作部が操作されていない時の第２実施例としての冷気循環ダクト部分の拡大側面図である。
【図５】図４においてフラッパー操作部を操作した時の第２実施例としての冷気循環ダクト部分の拡大側面図である。
【図６】フラッパー操作部が操作されていない時の第３実施例としての冷気循環ダクト部分の拡大側面図である。
【図７】図６においてフラッパー操作部を操作した時の第３実施例としての冷気循環ダクト部分の拡大側面図である。
【発明を実施するための最良の形態】
【００１４】
以下、図面に基づき本発明の実施形態を詳細に説明する。
図１の本発明を適用したショーケースの側面図において、ショーケース１は前面に開口するコ字状の断熱材２と区画板３によって本体が構成されており、区画板３と断熱材２との間に背方から上方に渡る冷気循環ダクト４が構成されている。また、冷気循環ダクト４の下端には、前方に延在するデッキバン５が設けられており、これら、断熱材２、区画板３及びデッキバン５の内側に庫内６が構成されている。そして、デッキバン５の下方には冷気循環ダクト４に連通してその一部を構成する下部ダクト７が構成されている。
冷気循環ダクト４の上端は庫内６の前面開口上縁に位置する上部冷気吐出口９に連通し、その前方部には商品を照らす蛍光灯支持部材１０が設置されている。下部ダクトの前端は庫内の前面開口下縁に位置すると共に、複数のスリットから成る冷気吸込口１１に連通している。また、デッキパン５の下方の下部ダクトには冷気送給用の送風機８が配置され、庫内６後方の冷気循環ダクト内には冷却装置の冷凍サイクルを構成する冷却器１２が縦設されている。
庫内６には中間ダクト１４と複数段の商品陳列棚１３が、本実施例では上下に７段架設されている。各商品陳列棚は、後端に後方に突出する鉤状の爪を有した左右一対のブラケット１５と、このブラケット上に差し渡して着脱自在に取り付けられた棚板１６と、この棚板の下面に取り付けられた加温用の図示しない電気ヒータとから構成されている。
そして、ショーケース内の棚支柱１７に、上下方向に複数形成された孔１８に前記ブラケット１５の爪を係脱自在に係合させることにより、各商品陳列棚１３は庫内６に置いて上下位置（高さ）を変更可能に架設されている。尚、この場合、陳列する商品（缶やペットボトル等）の高さ寸法に合わせて効率的な棚配置ができるように、商品に対応した番号や色を棚支柱１７（棚支柱の所定の高さの位置）に付しておくと良い。
【００１５】
次に、図２、図３の中間ダクトが備わった商品陳列棚１３が接続されているショーケース１の拡大側面図を用いて、ばねヒンジ２４が支軸に取り付けられているフラッパー２２の開閉方法について説明する。
【００１６】
ショーケース内に設けられた区画板３には、冷気を庫内６に導くことができる冷気導入孔２３が各商品陳列棚１３よりも少し低い位置に設けられている。そして、冷気導入孔２３を冷気循環ダクト側から塞ぐようにショーケース１の長手方向に渡って冷気導入孔２３と略同じ高さにフラッパー２２が複数形成されている。また、フラッパー２２の上部にはばねヒンジ２４が設けられている。さらに、ばねヒンジ２４はフラッパー２２を区画板３に押圧するように取り付けられている。
図2は商品陳列棚１３の下部に中間ダクト１４を取り付けた部分の断面図を示している。商品陳列棚１３と中間ダクト１４はブラケット１５を用いて区画板３に取りつけられている。この中間ダクト１４には、棚下冷気吐出口１９が一端（ショーケースの正面側）に設けられていて、中間ダクトの下部には商品陳列棚１３に対して前後方向に移動自在に取り付けられた棒状の金属製フラッパー操作部２０が設けられている。
また冷気循環ダクト内の断熱板２には、ばねヒンジ２４が取り付けられている略同じ高さにフラッパー止め２１を有している。
【００１７】
図3は、商品陳列棚１３の下部に取り付けられた中間ダクト１４のフラッパー操作部２０を冷気循環ダクト側に移動させた時の拡大断面図である。
中間ダクト１４に取り付けられたフラッパー操作部２０を冷気循環ダクト側（後方）に移動させると、フラッパー操作部２０の後端部（ショーケースの背面側）が冷気導入孔２３より冷気循環ダクト内に進入する。その際、ばねヒンジ２４によって冷気導入孔２３を塞ぐように押圧していたフラッパー２２は、フラッパー操作部２０により押されて、下端がフラッパー止め２１に接するまで後方（図3においては反時計回りに）に回動する。
上記構成により、冷気循環ダクト内を上下にフラッパー２２で塞ぐことができ、冷気循環ダクト内を下方から上方に流れる冷気は、それ以上上方には流れなくなり、冷気導入孔２３から中間ダクト１４に誘導される。
中間ダクト１４に誘導された冷気は、中間ダクト１４の前端にある棚下冷気吐出口１９から下方へ送出され、ショーケース１の前方（正面側）に均一なエアーカーテンを形成することができ、商品陳列棚１３に陳列された冷蔵商品を冷蔵することができる。また、中間ダクト１４よりも上部の商品陳列棚１３に取り付けられている電気ヒータを通電させることで、中間ダクト１４よりも上方の商品陳列棚１３に陳列されている商品を温蔵商品として、下方を冷蔵商品として、中間ダクト１４を挿入した商品陳列棚１３の上下で、温度帯の異なる商品を販売することが可能になる。
フラッパー２２は、ばねヒンジ２４により冷気導入孔２３を押圧するように取り付けられているため、冷気循環ダクト内を流れる冷気によってフラッパー２２が回動し、庫内６に冷気漏れをおこすことはない。
【００１８】
また、上記実施例以外にも冷気循環ダクト内に設けられるフラッパー２２を図４、又は図５のように構成しても良いものとする。
即ち、図４、および図５に示す第２実施例では、フラッパー２２が樹脂材により形成されている。特に、フラッパー操作部２０の後端が当接する個所には硬質樹脂部２５及びフラッパーが回動してフラッパー止め２１に当接する個所には軟質樹脂部２６が設けられている。
この構成により、フラッパー操作部２０によりフラッパー２２の硬質樹脂部２５が回動する際に、変形することなく回動することができる。また、フラッパー操作部２０がフラッパー２２を押す際、フラッパー２２に接する部分が硬質樹脂のため、区画板３が傷つくことを防止することができる。
また、図5のようにフラッパー２２がフラッパー止め２１に当接する部分には軟質樹脂部２６が形成されているので、図５のように冷気循環ダクト内を上下に塞ぐ際に、フラッパー操作部２０により、フラッパー２２の軟質樹脂部２６がフラッパー止め２１に押圧されるため、確実に冷気循環ダクト４を仕切ることができ、冷気が漏れることはない。
また、上記実施例以外にも第３の実施例として冷気循環ダクト内に設けられるフラッパー２２を図６又は図７のように構成しても良いものとする。
即ち、図６、および図７に示す第３の実施例では、フラッパー２２の下部にマグネット２７が設けられている。このマグネット２７は磁力により区画板３に設けられた冷気導入孔２３を塞ぐように密着する構造になっており、確実に冷気導入孔２３を塞ぐことができる。
また、この際フラッパー止め２１に使用する材質として樹脂等の非金属性とする必要がある。フラッパー操作部２０をショーケース１の正面側に戻した時にフラッパー２２が冷気導入孔２３を塞ぐように密着せず、フラッパー止め２１と密着したままになり、冷気循環ダクト内を流れる冷気が冷気導入孔２３より漏れてしまい、十分なエアーカーテンを形成することができなくなることを防止するためである。
【００１９】
なお、上記実施例では、商品陳列棚が７段の場合のショーケース１について説明したが、この段数に限られるものでもなく、各商品陳列棚と略同じ高さに冷気循環ダクト内にフラッパー２２を設けなくともよい。また、中間ダクト１４よりも上の商品陳列棚１３に内蔵されている電気ヒータで温蔵領域としたが、電気ヒータに通電することなく、或いは、電気ヒータを設けずに非冷領域として使用してもよい。
【符号の説明】
【００２０】
１      ショーケース
２      断熱材
３      区画板
４      冷気循環ダクト
５      デッキバン
６      庫内
８      送風機
１２      冷却器
１３      商品陳列棚
１４      中間ダクト
１５      ブラケット
１６      棚板
２０      フラッパー操作部
２１      フラッパー止め
２２      フラッパー
２３      冷気導入孔
２４      ばねヒンジ
２５      硬質樹脂
２６      軟質樹脂
２７      マグネット
【図１】
0005609390.tif 000002
【図２】
0005609390.tif 000003
【図３】
0005609390.tif 000004
【図４】
0005609390.tif 000005
【図５】
0005609390.tif 000006
【図６】
0005609390.tif 000007
【図７】
0005609390.tif 000008